Podtech/llm-jp-corpus-v4-ja_patent huggingface dataset:
(57)【要約】      （修正有）【課題】ハンダ付けによる黒ずみを防ぎ、ガラスに艶が出て全体に優雅に仕上がるステンドグラスを提供する。【解決手段】炉で焼いて接着した花１にビーズ２を通したワイヤー３をくぐらせて残りのワイヤー３を土台４にハンダで固定する。もしくは土台の穴５に通し裏からハンダで固定することにより花弁がハンダ付けによる黒ずみから解放され光沢も出て優雅に仕上がる。【選択図】図１
0003143073.tif 000002
【実用新案登録請求の範囲】
【請求項１】
ステンドグラスを花弁一枚ずつの大きさ、形にカットし、必要な数の花弁を少しずつずらして重ねあわせ炉で焼いてお互いに接着させて一個の花を作り、その花芯となる穴の部分に長めのワイヤーにビーズを通して作った花芯をくぐらせ、花弁の裏側にでたワイヤーを土台にハンダでとりつけるところを特徴とするステンドグラス製の花。
【考案の詳細な説明】
【技術分野】
【０００１】本考案は銅のテープで巻かないステンドグラスを用いた花の製作および取り付け方法に関する。
【背景技術】
【０００２】花弁を一枚ずつ銅テ→プで巻いてハンダでお互いに接着して花を作っていた。
【考案が解決しようとする課題】
【０００３】花弁を銅テープで巻いてハンダ付けすると仕上がりが黒ずみ優雅さにかける。
【課題を解決するための手段】
【０００４】本考案はステンドグラスを花弁一枚ずつの大きさ、形にカットし複数枚の花弁を少しずつずらしながら重ね合わせ  炉で焼きお互いに接着して一個の花を作る。それをワイヤーを用いて土台に固定することにより銅テープを不要とし前述の欠点を解決しようとするものである。
【考案の効果】
【０００５】花弁の周りを銅テープで巻いてハンダ付けしないので花が黒ずまず、副効果としてガラスにも艶が出て全体に優雅に仕上がる。
【考案を実施するための最良の形態】
【０００６】ステンドグラスを花弁一枚ずつの大きさ、形にカットし、複数の花弁を少しずつずらしながら重ねあわせて炉で焼きたがいに接着して一個の花を作る。花芯となる部分に長めのワイヤーに通したビーズで作った花芯をくぐらせ花弁の裏に出たワイヤーを土台にハンダで取り付ける。このとき土台にあらかしめ用意しておいた穴にこの残りのワイヤーを通して土台の裏からハンダ付けすれば  より優雅に仕上がる。
【実施例】
【０００７】添付図面に従って一実施例を説明する
１はガラスを花弁の大きさ、形にカットして少しずつ重ね合わせて炉で焼きお互いに接着した花。２はビーズにワイヤーを通して作った花芯。３は花芯から出たワイヤー。４は取り付けるための土台。５はあらかじめ土台に用意した穴。
【図面の簡単な説明】
【０００８】
【図１】本考案の花、花弁、花芯を土台に取り付ける実施例。立体図
【図２】この花の一部断面図。
【符号の説明】
【０００９】１花弁
２ビーズ
３ワイヤー
４土台
５土台の穴
【図１】
0003143073.tif 000003
【図２】
0003143073.tif 000004
(57)【要約】      （修正有）【課題】美容液における高品質化を実現した乳液・シャンプー・化粧水等の化粧品を提供する。【解決手段】ボトル１に、コラーゲンとヒアルロン酸とビタミン類とアミノ酸と、およそ乳液かシャンプー成分か化粧水成分２の入った化粧品類で、女性がそれを使い、健康や美容によい成分を取り込むためのものである。【選択図】図１
0003143036.tif 000002
【実用新案登録請求の範囲】
【請求項１】
ボトル（１）に、コラーゲンとヒアルロン酸とビタミン類とアミノ酸と、およそ乳液かシャンプー成分か化粧水成分（２）の入った化粧品類で、女性におけるお洒落なコスメティック実願である
【考案の詳細な説明】
【技術分野】
【０００１】ボトル（１）に、コラーゲンとヒアルロン酸とビタミン類とアミノ酸と、およそ乳液かシャンプー成分か化粧水成分（２）の入った化粧品類で、女性におけるお洒落なコスメティック実願である
【背景技術】
【０００２】従来の女性用化粧液等は有益な成分が含まれてなかった
【考案が解決しようとする課題】
【０００３】ボトル（１）に、コラーゲンとヒアルロン酸とビタミン類とアミノ酸と、およそ乳液かシャンプー成分か化粧水成分（２）の入った化粧品類で、女性におけるお洒落の悩み解決するための実願である
【課題を解決するための手段】
【０００４】ボトル（１）に、コラーゲンとヒアルロン酸とビタミン類とアミノ酸と、およそ乳液かシャンプー成分か化粧水成分（２）の入った化粧品類で、女性がそれを使い、健康や美容によい成分を取り込む
【考案の効果】
【０００５】上記の成分で、美容に効果がある
【考案を実施するための最良の形態】
【０００６】ボトル（１）に、コラーゲンとヒアルロン酸とビタミン類とアミノ酸と、およそ乳液かシャンプー成分か化粧水成分（２）の入った化粧品類。
【実施例１】
【０００７】ボトル（１）に、コラーゲンとヒアルロン酸とビタミン類とアミノ酸と、およそ乳液かシャンプー成分か化粧水成分（２）の入った化粧品類で、女性がそれを使い、健康や美容によい成分を取り込む
【図面の簡単な説明】
【０００８】
【図１】本考案の高品質成分配合の美容製品の立体図である
【符号の説明】
【０００９】（１）は、ボトル
（２）は、コラーゲンとヒアルロン酸とビタミン類とアミノ酸とおよそ乳液かシャンプー成分か美容液か化粧水成分入った化粧品類
【図１】
0003143036.tif 000003
【手続補正書】
【提出日】平成20年4月3日(2008.4.3)
【手続補正１】
【補正対象書類名】実用新案登録請求の範囲
【補正対象項目名】全文
【補正方法】変更
【補正の内容】
【実用新案登録請求の範囲】
【請求項１】
ボトル（１）に、コラーゲンとヒアルロン酸とビタミン類とアミノ酸と、およそ乳液かシャンプー成分か化粧水成分（２）の入った化粧品類で、女性におけるお洒落なコスメティック実願でボトル（１）にコラーゲンとヒアルロン酸とビタミン類とアミノ酸と、およそ乳液かシャンプー成分か化粧水成分（２）の入った化粧品類である。
(57)【要約】      （修正有）【課題】野菜を傷めない様に供給して自動機で野菜の根を切取り、かつ根元をシャワーで洗うことのできる野菜の根切り洗い自動機を提供する。【解決の手段】野菜をコンベアーＶ型位置供給して、野菜根元を位置ガイドに合わせて供給する。上コンベアーベルト７で野菜を押さえて送り回転ハサミカッター１１で根を切り取って移動する。野菜根元を洗いシャワー１３が上下より洗って移動して来るので大変便利な機械である。【選択図】図１
0003143032.tif 000002
【実用新案登録請求の範囲】
【請求項１】
野菜の根切取り根元洗う自動機の送りコンベアーベルト４にスポンジをＶ形に加工して張り野菜をＶの位置に供給して上のコンベアーベルト７にスポンジを張って野菜を傷めない様に送り出すことが出来る事を特徴とする野菜根切り洗い自動機。
【請求項２】
コンベアーの角度Ｄの様に野菜の根元の位置を決めるガイドレールＥ野菜の根を揃えて移動して回転ハサミカッター１２で野菜の根切断して送り出すことが出来ることを特徴する請求項１の記載の野菜根切り洗い自動機。
【請求項３】
野菜の根切りしてコンベアーで移動して野菜の根元を上下、ノズル１３シャワー洗い落すことが出来ることを特徴とする請求項１記載の野菜根切り洗い自動機。
【考案の詳細な説明】
【技術分野】
【０００１】野菜を出荷するのに根を切り取って、洗って選別して出荷しています。
【背景技術】
【０００２】従来は野菜出荷する時、洗って根を切取り作業をします。大変な手間掛けます。洗うのも水のですので、冬の場合大変な仕事ですので、自動機で根を切取り、シャワーで洗うことが出来様にする。
【考案の開示】
【考案解決しようとする課題】
【０００３】野菜を傷めない様に供給して自動機で野菜の根を切取り根元をシャワーで洗いを自動で出来ることを考案する。
【０００４】コンベアーに野菜供給して傷めない様に送って野菜の根元を揃えてカッターで切断し、移動しながら根元を洗う事が出来る様な構造にした機械を作ること。
【考案の効果】
【０００５】野菜をコンベアーに供給して野菜上下コンベアー押さえスポンジで押さえて送り、根元を回転。ハサミカッター切断して根元上下のシャワーで洗って送り出して来て完成ですので、従来手作業より能率を上がり、大変な作業が楽になりました。製造コストを下げました。
【実施例】
【０００６】野菜をコンベアーＶ型位置供給して、野菜根元を位置ガイドに合わせて供給する。上コンベアーベルト７で野菜を押さえて送り回転ハサミカッター１１で根を切り取って移動する。野菜根元を洗いシャワー１３が上下より洗って移動して来ますので大変便利な機械です。【０００７】野菜品種別に機械の調整が出来ます。【０００８】送りコンベアーが角度付けて取り付けてあるので、野菜の根元が揃い良い。ガイドレールにそって野菜移動して根回転ハサミカッター切断が安全に出来る。
【図面の簡単な説明】
【０００９】
【図１】全体駆動斜視図
【図２】正面側面組立図
【図３】野菜根切り取り作動図
【図４】野菜の根元洗い作動図
【０００１０】［Ａ］    野菜
［Ｂ］    野菜の根
［Ｃ］    （図２）矢視図
［Ｄ］    コンベアーの角度
［Ｅ］    野菜根位置ガイドレール
［１］    ギヤードモーター
［２］    駆動軸
［２−１］中間軸
［３］    歯車
［４］    コンベアーベルトスポンジ張Ｖ
［５］    コンベアー軸
［６］    コンベヤーベルト軸
［７］    コンベアーベルト上部
［８］    ベルト張りテンションローラー
［９］    切断回転カッター回転ベルト
［１０］  回転ハサミカッター軸
［１１］  ハサミカッター
［１２］  送りベルト
［１３］  洗いシャワーノズル
［１４］  水道より送りホース
［１５］  排水ホース
【図１】
0003143032.tif 000003
【図２】
0003143032.tif 000004
【図３】
0003143032.tif 000005
【図４】
0003143032.tif 000006
【手続補正書】
【提出日】平成20年3月28日(2008.3.28)
【手続補正１】
【補正対象書類名】実用新案登録請求の範囲
【補正対象項目名】全文
【補正方法】変更
【補正の内容】
【実用新案登録請求の範囲】
【請求項１】
野菜の根を切り、根元を洗う自動機の送りコンベアベルト４にスポンジをＶ形に加工して張り野菜をＶ形の位置に乗せ、コンベアベルト４と相対するコンベアベルト７にスポンジを張って野菜を傷つけない様に送り出すことが出来る事を特徴とする野菜根切り洗い自動機。
【請求項２】
送りコンベアベルト４及び７を水平に対し、角度Ｄに配置し野菜の位置を決めるガイドレールＥに沿って野菜の根を揃えてコンベアベルト４及び７で挟んで移動して回転ハサミカッター１２で野菜の根を切り、送り出すことが出来ることを特徴とする請求項１記載の野菜根切り洗い自動機。
【請求項３】
野菜の根切りをして、コンベアベルト４及び７で挟んで移動して野菜の根元をコンベアベルト４及び７の上下に配置したノズル１３を持ちい洗い落とすことができる事を特徴とする。請求項１記載の野菜根切り洗い自動機。
(57)【要約】      （修正有）【課題】旋盤機などの工作機械の切削加工の際に切削油用サーボーモーターの噴射力を無駄なく最大限に活用し工具の先部や加工部及び加工物へ噴射することで尚且つ同時に工具摩耗と熱膨張・チッピング等・工具破損や切粉の排出悪化・巻き付きなどに対策のできるホース付き工具ホルダーを提供する。【解決手段】工具ホルダー本体１の円筒部分２の孔部分８と直結部品９にホース３を組み合せ一体化させたものである。または孔部分８とホース３で直結し一体化する。切削油１１がクーラント吐出パイプ７からホース３を通かし直結部品９を経由、空洞状１０に送り込まれコレットチャック５のスリワリ孔５ａから噴射する。従って、工具６の先部まで工具全体を包み込む様一定方向へ確実に狙った部位や加工部まで切削油用サーボーモーターの動力源の噴射力を失わずに無駄なく切削油を噴射できる。【選択図】図１
0003143040.tif 000002
【実用新案登録請求の範囲】
【請求項１】
既存の工具ホルダーは、ほとんどスリワリ孔５ａと空洞状１１で貫通状態である。その２箇所を着眼点として直結部品９とホース３をつなぎ組み付け一体化。また孔部分８とホース３で直結させ一体化させたことを特徴とする工具ホルダーの提案をする。
【請求項２】
多種の材質で構造と形状を有することを特徴とする請求項１記載の工具ホルダー。
【請求項３】
直結部品９孔部分８の組付けが他加工法でも本考案に属することを有する請求項１記載の工具ホルダー。
【請求項４】
孔部分８ホース３の組付けが他加工法でも本考案に属することを有する請求項１記載の工具ホルダー。
【請求項５】
ホース３直結部品９の他の形状と構造でも本考案に属することを有する請求項１記載の工具ホルダー。
【請求項６】
空洞状１１スリワリ孔５ａの孔加工の際に他加工法及び追加加工でも本考案に属することを有する請求項１記載の工具ホルダー。
【請求項７】
切削油１１の代わりにエアーブローまた他種の油脂材で用いる際、本考案に属する請求項１記載の工具ホルダー。
【考案の詳細な説明】
【技術分野】
【０００１】  本考案は旋盤機などの工作機械の刃物台に設け切削加工に対応し、切削油用サーボモーターの動力源を最大限に活用し切削油の流れを無駄なく一定方向へ確実に工具の先部と加工部へ噴射する為のものである。
【背景技術】
【０００２】  従来、工作機械内に設けてある刃物台やスピンドルモーターの近くにクーラントオイル吐出パイプが独立した形で存在している為に工具の先部や加工部に切削油がかかる様にパイプ口先を向けたり、別途別売りのパイプなど接続して位置決め調整したりする。また他社などからオイルホール式のドリルや工具類及びそれらを補助するような給油装置を駆使し用いているのが現状である。
【考案の開示】
【考案が解決しようとする課題】
【０００３】  工作機械などに設けてあるクーラントオイル吐出パイプでは金属製や銅製またプラスチック製がほとんどである。工具の先部や加工部へ狙いパイプ口先を方向・位置決めすると金属・銅製ならば曲げた部分からつぶれ切削油の噴射が悪くなり狙った部位を外してしまう。プラスチック製ならばある程度自由度が効くものの切削加工を継続する内に狙った部位から工作機械の振動などでズレが生じてしまう。
狙った部位に切削油を噴射してもクーラント吐出パイプは独立した配置にある為に工具の先部や加工部までまとまった切削油の噴射が出来なかったり、切削油の噴射時大体がバラついた様になる。
それらの原因で得られる問題点
▲１▼工具摩耗よる寿命の短さと刃先のチッピング等
▲２▼工具の熱膨張による劣化
▲３▼切粉の排出悪化と巻き付きによる工具破損・加工物への経済コスト的負担
▲４▼クーラントオイル吐出パイプの方向・位置決め設定する時間コスト的負担
また、他社や専門メーカーなどからオイルホール式のドリルや工具類及びそれらを補助するような給油装置など販売されているがコスト的に高額なのが一般的である。
【課題を解決するための手段】
【０００４】  工具ホルダー本体１の円筒部分２の孔部分８と直結部品９とホース３をつなぎ組み合わせ一体化させた事を特徴とする工具ホルダーである。また孔部分８とホース３で直結させ一体化させたこと。
【考案の効果】
【０００５】  切削油１１がクーラント吐出パイプ７からホース３を通かし直結部品９を経由、空洞状１０に送り込まれコレットチャック５のスリワリ孔５ａから噴射する為に工具６の先部まで工具全体を包み込む様一定方向へ確実に狙った部位や加工部まで切削油用サーボーモーターの動力源の噴射力を失わずに無駄なく噴射する様になった。
切削加工に得られる利点
▲１▼工具摩耗の軽減により工具寿命の延命
▲２▼工具への冷却効果の向上
▲３▼切粉の排出効果と巻き付き防止の向上により工具・加工物への経済コストの削減
▲４▼クーラントオイル吐出パイプの方向・位置設定なしにより時間コストの削減
▲５▼多種多様の工具などに対応可能
▲６▼オイルホール式のドリルや工具類及びそれらを補助するような給油装置と同等の性能を発揮する為コスト的に安価である
▲７▼本考案は製造する際に極めて安価である
▲８▼軽量化
【考案を実施するための最良の形態】
【０００６】  既存の工具ホルダーとホース３直結部品９を組み合わせ一体化させたこと。または孔部分８とホース３で直結させ一体化させたこと。【０００７】
【実施例１】  本考案は旋盤機などの工作機械の刃物台のクーラントオイル吐出パイプ７からホース３をつなぎ合わせ直結部品９とホース３を組み合わせ円筒部分２の孔部分８をつなぎ合わせる。クーラントオイル吐出パイプ７から切削油１１を注入しホース３を通かして直結部品９を経由し空洞状１０へ送り込みコレットチャック５のスリワリ孔５ａから切削油１１を噴射する。
【実施例２】  孔部分８とホース３だけで直結させ一体化させて実施例１の実施をする。
【実施例３】  ホース３の材質は自由の効く耐久性の高いビニール製が良く直結部品９の材質には角度を曲げられる腐食に強い銅製の管が好ましい。直結部品９と孔部分８に互いにネジ部を加工し組み付けをすすめる。着脱ができる為、また孔部分８とホース３を確実に組み付け固定できるならそれも可。円筒部分２は空洞状１１である。
事とコレットチャック５のスリワリ孔５ａは最低１箇所以上ある事。
【図面の簡単な説明】
【０００８】
【図１】  工具ホルダー本体１の円筒部分２に直結部品９とホース３を組み合せを示した断面図である。
【符号の説明】
【０００９】  １  工具ホルダー本体
２  円筒部分
３  ホース
４  締め付けキャップ
５  コレットチャック
５ａ  スリワリ孔
６  工具
７  クーラントオイル吐出パイプ
８  孔部分
９  直結部品
１０  空洞状
１１  切削油
【図１】
0003143040.tif 000003
【手続補正書】
【提出日】平成20年4月2日(2008.4.2)
【手続補正１】
【補正対象書類名】実用新案登録請求の範囲
【補正対象項目名】全文
【補正方法】変更
【補正の内容】
【実用新案登録請求の範囲】
【請求項１】
スリワリ孔５ａと空洞状１０とで貫通状態となっている工具ホルダーにおいて、上記工具ホルダーの孔部分８にホース３を直接又は直結部品９を介して組み付け、一体化させたことを特徴とする工具ホルダー。
(57)【要約】      （修正有）【課題】狭いワンルームマンションやアパートあるいは、一戸建てにおいても狭い部屋を有効に利用し居住者により機能的でリラックスできるシステムベッドを提供する。【解決手段】部屋が狭いため圧迫感の少ないロータイプの２段ベッドＡで幅を広めにとりベッド下部分に余裕をもたせ前面に、パソコンデスクＢ、その下にいろいろな関連機器を収納するラック、横部分にもカウンターＤと、その下は収納とし、使用者は座椅子Ｃを使用し、プライベートスペースとして、リラックスしながら機能的に利用できる空間をつくることができ同時に部屋自体の狭さの問題を軽減した。【選択図】図１
0003143031.tif 000002
【実用新案登録請求の範囲】
【請求項１】
ワンルームマンション、アパートあるいは戸建でも狭い室内を有効に活用するために、圧迫感を少なくしたロータイプの２段ベッドの下の部分にパソコンデスクを設置、パソコン、テレビ、オーディオ機器が置け、デスクの下には、チューナー、ＤＶＤデッキ、ケーブルテレビのチューナーなどの機器を収納できるようにし、利用者はそこに座りながら機能的にそれらを使用できかつ、ロータイプの２段ベッドなので下の部分は座椅子などを使用する高さであるので非常にリラックスできる。機能的でリラックスできるプライベートスペースをつくるためのシステムベッドである。
【考案の詳細な説明】
【技術分野】
【０００１】  本考案は、狭い室内を有効にかつ機能的でしかもリラックスできるスペースとして使用できるようにロータイプの２段ベッド部分の下にパソコンデスク及びテレビ、オーディオ関連機器の収納を設けたシステムベッドに関する考案である。
【背景技術】
【０００２】  ワンルームのアパートやマンションあるいは戸建の家においても、狭い部屋の空間をどう有効に利用するが課題であり、２段ベッドや、ロフトベッドといったベッド下の空間を利用できるようにしたベッドがつくられた。しかしそれはベッド下に机が入る程度のもので、あくまでも主体はベッドであった。
【考案の開示】
【考案が解決しようとする課題】
【０００３】  今までのロフトベッド、や２段ベッドは、あくまでベッドが中心であり、ベッド下に机をいれるだけでは、ただ、机分だけ広くなったにすぎない。ベッドではなくその下の部分を中心に考え、機能的かりその場所自体をリラックスできるスペースとすることで室内の狭さをカバーする。
【課題を解決するための手段】
【０００４】  本考案は２段ベッドのベッド下部分を最大限有効に利用するためパソコンデスクや関連機器の収納ボックスを設け、そこにパソコン、テレビ、オーディオ及びそれらの関連機器や配線等も含めて一箇所に集約、そのスペースですべて機能的に使用でき、かつ、くつろげる空間とする。
【考案の効果】
【０００５】ベッド下の部分にパソコン、テレビ、オーディオやそれらの関連機器を集約させることにより使用者は狭い部屋のなかでもそのスペースで十分機能的に生活できる。
【考案を実施するための最良の形態】
【０００６】従来のベッドと違いベッド下の部分を中心に考えているので、ベッドの幅はあえて通常のサイズより広くとり、ベッド下部分の前部分及び横部分にデスク、収納ラックを配し、ベッドの高さは圧迫感を軽減するため低く、ロータイプとすることで必然的に下部分は、座椅子を使用する高さになり、リラックスした感覚で利用することになる。
【実施例】
【０００７】以下、添付図面に従って実施例を説明する。Ａはベッド部分であり下の部分は、Ｃの部分に座椅子等で座ることで利用しＢのパソコンデスクが設けられ、テレビ、パソコンなどをおくことができ、パソコンデスクの下部Ｅは、ＤＶＤデッキ、ケーブルテレビチューナー、オーディオなど関連機器を収納するラック部分Ｅ、Ｄも下部はＤＶＤ，ＣＤなどの収納となり上部はカウンターとなっている。
【産業上の利用可能性】
【０００８】建築業者がワンルームのアパートやワンルームマンションを建築する時にあらかじめ本考案のリラックス・スペース・ラックを各室にセットすることにより狭い部屋の有効利用をはかる。
【図面の簡単な説明】
【０００９】
【図１】本考案のリラックス・スペース・ラックの全体図である。
【符号の説明】
【００１０】Ａ  ベッド部分
Ｂ  パソコンデスク
Ｃ  座椅子部分
Ｄ  カウンター及び収納
Ｅ  デスク下収納
【図１】
0003143031.tif 000003
【手続補正書】
【提出日】平成20年3月28日(2008.3.28)
【手続補正１】
【補正対象書類名】実用新案登録請求の範囲
【補正対象項目名】請求項１
【補正方法】変更
【補正の内容】
【請求項１】
ワンルームマンション、アパートあるいは戸建てにおいても狭い室内を有効に活用するために圧迫感を少なくしたロータイプの２段ベッドの下部分にパソコンデスクを設置、パソコン、テレビ、オーディオ機器を置きデスクの下にはチューナー、ＤＶＤデッキ、ケーブルテレビのチュウナーなどの機器を収納できるようにし、利用者はそこでマッサージチェアに座りながら機能的にそれらを使用できるようにし、自分の部屋として使えるプライベートスペースとし、ベッドの部分は使わなければ物置スペースとして使え、ベッド下も使わない場合は中にハンガーをかけドレッサーとしても使えるのがリラックス・スペース・ラックです。
【手続補正２】
【補正対象書類名】明細書
【補正対象項目名】０００３
【補正方法】変更
【補正の内容】
【０００３】今までのロフトベッドや２段ベッドはあくまでベッドが中心でありベッド下に机や家具を配置できるようにしたにすぎず、それでは単に机や家具分のスペースが広くなったにすぎない、また、戸建ての場合でも、子供部屋はあっても通常世帯主である父親の部屋というものはまずないので、狭い部屋の有効利用とかねて、部屋のすこしのスペースでも部屋はなくてもプライベートなスペースを持てるようにする。
(57)【要約】      （修正有）【課題】脳の活性化につながると云われている、指先運動に使用する玉転がしの健康器具を提供する。【解決手段】木製品で、握り棒と丸い球状との連結で、構成されている。握り棒本体は滑り止め付グリップ仕様となっており、手のひらで軽く握った状態でも、年齢差の握力でも、指先運動する時、滑り止め付グリップにより、ずれることはない。本体である握り棒を握り、親指・人差指・中指で彎曲するスプリングの先に、ジョイントされた球を前後左右に運動することにより、手軽にどこでも玉転がし運動ができるようにした。【選択図】図５
0003143033.tif 000002
【実用新案登録請求の範囲】
【請求項１】
指先運動に使用することにより、脳の活性化を推進し、また、健康指圧の器具として使用できるように、両方を兼ね備えたところを特徴と
する健康器具である
【請求項２】
本体に埋め込んだ磁石が、従来、使用された健康器具と同じく、血行を促進する健康器具である
【請求項３】
本体であるグリップ付握り棒を握り、中間ジョイントの役をするスプリングの先に付けた球を前後左右に指先で運動する器具である
【考案の詳細な説明】
【技術分野】
【０００１】  本考案は、在来より脳の活性化につながると云われている、指先運動に使用する、玉転がしの健康器具である。
【背景技術】
【０００２】  本考案の製品は、木製品で、握り棒と丸い球状との連結で、構成されている。握り棒本体は滑り止め付グリップ仕様となっており、手のひらで軽く握った状態でも、年齢差の握力でも、指先運動する時、滑り止め付グリップにより、ずれることはない。【０００３】  本考案の握り棒は、滑り止め付グリップ部分に、更に考案し、在来の健康器具で使用する１個＝８００ガウスの磁石を、両側に１４個埋め込んであり、これを合計すると１１，２００ガウスの値となる。【０００４】  玉転がしの球体部分にも、１個＝８００ガウスの磁石を図１平面図の球体図の様に８個埋め込んである。【０００５】  本考案の握り棒の先を鋭角にし、その先端に球状の磁石を埋め込むことにより、指圧棒の役割を果たせるようにした。よって、指圧のツボ押し棒に使用できる。
【考案の開示】
【考案が解決しようとする課題】
【０００６】  従来、殆どの玉転がし運動用健康器具は、ばらばらの球を２個以上持って、運動する為に一部無くすと使用効果が無くなる上に、指先だけを利用して運動するのが難しい。本考案の指先運動の玉転がしは、本体の握り棒と球を一体化し、その接続には、自在運動が出来るように、彎曲するスプリングで構成することにより問題点を解決しようとするものである。
【課題を解決するための手段】
【０００７】  本体である握り棒を握り、親指・人差指・中指で、彎曲するスプリングの先にジョイントされた球を前後左右に運動することにより、手軽にどこでも玉転がし運動ができるようにし、問題点を解決している。
【考案の効果】
【０００８】  現在の高齢者社会に於いて、脳の活性化は、重大視されている。指先運動することにより、脳の活性化に伴う、ボケ防止・ノイローゼ等に予防も兼ねている。医学的にもいわれている。
【考案を実施するための最良の形態】
【０００９】  添付図面に従って、本体を握り、本体と接続する球体を自在スプリングで前後左右に指先運動をする。この運動が脳の活性化を推進させる。【００１０】  握り棒の下端の尖った部分はツボ押し療法に使用し、突端部分に磁気を埋め込むことにより、さらに効果をもたらす。
【実施例】
【００１１】  以下、添付図面に従って実地例を説明する。本体握り棒と球は木製品で、握ると木の感触良く、指先運動に必要な器具を備えている。▲３▼本体の握り棒と▲１▼球体を▲２▼自在スプリングで接続している。▲１▼球体を親指・人差指・中指等を前後左右に運動させる指先運動器具である。▲５▼は、指圧する道具として、使用できる。【００１２】  図５は指先運動するイラスト図である。
【図面の簡単な説明】
【００１３】
【図１】本考案の指先運動健康器具の実地例を示す全体正面図である。
【図１ａ】本考案の指先運動健康器具の球体部正面平面図である。
【図１ｂ】本考案の指先運動健康器具の下部分正面見上図である。
【図２】本考案の指先運動健康器具の全体裏面図である。
【図２ａ】本考案の指先運動健康器具の球体部裏平面図である。
【図２ｂ】本考案の指先運動健康器具の下部分裏見上図である。
【図３】本考案の指先運動健康器具の全体右側面図である。
【図３ａ】本考案の指先運動健康器具の球体部右側平面図である。
【図３ｂ】本考案の指先運動健康器具の下部分右側見上図である。
【図４】本考案の指先運動健康器具の全体左側面図である。
【図４ａ】本考案の指先運動健康器具の球体部左側平面図である。
【図４ｂ】本考案の指先運動健康器具の下部分左側見上図である。
【図５】本考案の指先運動健康器具の指先運動時イラスト図
【符号の説明】
【００１４】  １  木製球体
２  自在用スプリング
３  木製本体握り棒
４  埋め込み用１個＝８００ガウスの磁石
５  指圧用埋め込み球形磁石
【図１】
0003143033.tif 000003
【図１ａ】
0003143033.tif 000004
【図１ｂ】
0003143033.tif 000005
【図２】
0003143033.tif 000006
【図２ａ】
0003143033.tif 000007
【図２ｂ】
0003143033.tif 000008
【図３】
0003143033.tif 000009
【図３ａ】
0003143033.tif 000010
【図３ｂ】
0003143033.tif 000011
【図４】
0003143033.tif 000012
【図４ａ】
0003143033.tif 000013
【図４ｂ】
0003143033.tif 000014
【図５】
0003143033.tif 000015
【手続補正書】
【提出日】平成20年3月27日(2008.3.27)
【手続補正１】
【補正対象書類名】実用新案登録請求の範囲
【補正対象項目名】全文
【補正方法】変更
【補正の内容】
【実用新案登録請求の範囲】
【請求項１】
指先運動に使用することにより、脳の活性化を推進し、また、健康指圧の器具として使用できるように、両方を兼ね備えた健康器具であって、グリップ付握り棒である本体、中間ジョイントの役をするスプリング、前記スプリングの先に付けた球、以上からなる健康器具
【請求項２】
前記本体に磁石を埋め込むことにより、血行を促進する  請求項  １  に記載の健康器具
(57)【要約】      （修正有）【課題】ＰＶＣ生地にインクジェット印刷で１デザインずつ内容を変化できるネームタグ、ネームホルダー、マークホルダー、キーホルダー、またはバッグタグを提供する。【解決手段】ロゴデータをその都度入力し、ＰＶＣ生地１にインクジェット印刷２し数種のＰＶＣ生地３と合わせて溶着する事により１デザインずつインクジェット印刷２で内容を変化しできる。【選択図】図１
0003143037.tif 000002
【実用新案登録請求の範囲】
【請求項１】
ロゴデータをその都度入力し、ＰＶＣ生地（１）にインクジェット印刷（２）し数種のＰＶＣ生地（３）と合わせて溶着する事により１デザインずつインクジェット印刷（２）で内容を変化しできるネームタグ、ネームホルダー、マークホルダー、キーホルダー、またはバッグタグ。
【考案の詳細な説明】
【考案の詳細な説明】
【産業上の利用分野】
【０００１】この考案は、ＰＶＣに版が不要なインクジェット印刷をかける事により、１デザインづつ内容を変化できるものである。
【背景技術】
【０００２】従来の名前差し替えのネームタグ、ネームホルダー、マークホルダー、キーホルダー、またはバッグタグは、直接ＰＶＣにインクジェット印刷せず紙に印刷をかけ挟むアクリルや革にレーザー名入れしていた。
【考案が解決しようとする課題】
【０００３】（イ）版が必要になり１デザインづつ内容を変化できる事が出来なかった。
（ロ）紙に印刷する為、紙とＰＶＣの間に空間ができ濡れたように見えてしまった。
（ハ）紙に対する印刷ではインクの強度が弱く色が無くなりやすい。
（ニ）端を溶着する加工の為全面の印刷は不可であった。
（ホ）レーザー名入れではカラー表現や写真表現が不可であった。
【問題を解決するための手段】
【０００４】インクジェット機にＰＶＣ生地（１）をセットし、ロゴデータをその都度入力しインクジェット印刷（２）をかければ１デザインずつ内容を変化できる。
【作用】
【０００５】インクジェット印刷（２）で表現できる範囲であれば、どのようなデザインでもデータ化すれば印刷が出来る。
【実施例】
【０００６】ＰＶＣ生地（１）をインクジェット機にセットし、連結しているコンピューターにロゴデータを送りインクジェット印刷（２）を開始する。印刷を乾かし、溶着しパーツをセットする事でネームタグ、ネームホルダー、マークホルダー、キーホルダー、またはバッグタグが完成する。
【効果】
【０００７】本案は以上のような製作方法で、ＰＶＣを使う製品であれば他の仕様も作製できる。
【図面の簡単な説明】
【図１】本考案の表面完成図
【符号の説明】
１  ＰＶＣ      ２  インクジェット印刷      ３  その他ＰＶＣ  色は問わず
４  ベルトやボールチェーン等のパーツ
【図１】
0003143037.tif 000003
【手続補正書】
【提出日】平成20年4月1日(2008.4.1)
【手続補正１】
【補正対象書類名】実用新案登録請求の範囲
【補正対象項目名】全文
【補正方法】変更
【補正の内容】
【実用新案登録請求の範囲】
【請求項１】
ＰＶＣ生地（１）にインクジェット印刷（２）し、穴をあけ、ボールチェーン等のパーツをつける事によりカバン等に名前入りマークとして飾れる、ネームタグ、ネームホルダーマークホルダーキーホルダーまたはバッグタグ。
(57)【要約】      （修正有）【課題】視覚的印象の緩和と衝撃からの保護を目的としたペット用着ぐるみ型骨壷カバーを提供する。【解決手段】着ぐるみ（内容はぬいぐるみと同等の意味であるが、本件では骨壷にかぶせる形状であることから「着ぐるみ」と称する）の形状でペット用骨壷を隠す。着ぐるみ本体１の底部２には骨壷を収めるための開口部３を設けペット用骨壷５が収納できるようにし、その開口部３はゴム４又は紐を通せるように縫い合わせて開口部を締めるようにしている。着ぐるみ１の中はあらかじめ想定している骨壷の大きさに合わせてクッション材となる素材を縫い合わせる。【選択図】図１
0003143034.tif 000002
【実用新案登録請求の範囲】
【請求項１】
ペットの形状をした着ぐるみ（ぬいぐるみと同様の意味であるが、本件では着ぐるみと称する）で、その底面に開口部を設けペット用骨壷を収納する。開口部にはゴム又は紐で締まるようにしたペット用骨壷カバーである。
【考案の詳細な説明】
【技術分野】
【０００１】  本考案は、ペット用骨壷を視覚的印象の緩和また衝撃から保護することに関する。
【背景技術】
【０００２】従来、ペット用骨壷のカバーとしては人間と同様の仏門で用いる生地等で作られた袋の形状で上部開口部から骨壷を収納した後、袋の上部を紐でくくるものであった。これはあくまで骨壷の形状に似た一般的な人間用の骨壷の袋を流用しているものが多い。
【考案の開示】
【考案が解決しようとする課題】
【０００３】従来、ペットが亡くなった場合、人間と同様墓地に埋葬する方法があるが、ペットの所有者は、前記にある人間同様の措置を行うには、費用がかかること又ペット用墓地も少ないことから自宅に骨壷を置いている場合が多々見受けられる。また、持ち主は喪失感や寂しさから自宅に骨壷を置いておきたいという希望もある。自宅に骨壷を置いた場合、第三者が骨壷を見て違和感を示すものもいる。また、骨壷の多くは陶器で作られたものがあり、衝撃には弱く割れたりするものがある。ペット用骨壷を自宅に置くことで上記のような課題を解決するためにペット用骨壷を外部から見て骨壷と認識できないようにしたい。課題は自宅にペット用骨壷を置きたいこと、そのためペット用骨壷を隠したい。また衝撃から守りたいことが課題である。
【課題を解決するための手段】
【０００４】本考案は、着ぐるみ（内容はぬいぐるみと同様の意味であるが、本件では骨壷にかぶせる形状であることからあえて「着ぐるみ」と称する）の形状でペット用骨壷を隠したい。また上記課題の衝撃にもある程度耐えうるものにする。またペット所有者の喪失感を癒すことも考慮し飼っていたペットの犬種、或いは猫その他動物の種類に合わせその形状に近い着ぐるみを取り揃える。
【考案の効果】
【０００５】ペットの所有者がペットの死後、ペット所有者の事情により骨壷を自宅に設置する場合に骨壷が着ぐるみにより見えなくなり、所有者のペットに似せた着ぐるみにより喪失感を和らげる効果が得られる。第三者がペット所有者宅に訪問された際にペットの骨壷が見えなく着ぐるみが設置してあるだけの印象しか与えず第三者に違和感や影響を及ばさない効果がある。また骨壷本体は陶器で出来ているものが多く衝撃にも着ぐるみによる緩衝の役割も果たせる効果がある。
【考案を実施するための最良の形態】
【０００６】ペット用骨壷の形態が種々異なるが、ある程度の汎用性のある形態を段階的にサイズを決め骨壷が収容できる容量で数段階のサイズの着ぐるみを製作する。また、ペット所有者のペットの種類に応じた形状の着ぐるみを製作する。ペット所有者によっては架空の動物なりキャラクターを要望される場合も考慮した着ぐるみも製作する。
【実施例】
【０００７】本考案の着ぐるみ本体１の底部２には骨壷を収めるための開口部３を設けペット用骨壷５が収納できるようにし、その開口部３はゴム４又は紐を通せるように縫い合わせて開口部を締めるようにしている。着ぐるみ本体１の中はあらかじめ想定している骨壷の大きさに合わせてクッション材となる素材として綿やスポンジ及び軟質のプラスチックス等を縫い合わせる。
【図面の簡単な説明】
【０００８】
【図１】底面図
【図２】正面図
【図３】背面図
【図４】側面図
【符号の説明】
【０００９】１．着ぐるみ本体
２．着ぐるみの底部
３．底部の開口部
４．開口部に縫い合わせたゴム部
５．ペット用骨壷
【図１】
0003143034.tif 000003
【図２】
0003143034.tif 000004
【図３】
0003143034.tif 000005
【図４】
0003143034.tif 000006
【手続補正書】
【提出日】平成20年4月2日(2008.4.2)
【手続補正１】
【補正対象書類名】実用新案登録請求の範囲
【補正対象項目名】全文
【補正方法】変更
【補正の内容】
【実用新案登録請求の範囲】
【請求項１】
ペットの形状をした着ぐるみ（ぬいぐるみと同様の意味であるが、本件では着ぐるみと称する）で、その底面に開口部を設け開口部にはゴム又は紐で締まるようにしたペット用着ぐるみ型骨壷カバー。
(57)【要約】      （修正有）【課題】ひざかけをしても下にずれ落ちたりせず、その上さらに手も温かくなるようにしたひざかけを提供する。【解決手段】ひざかけの上の部分、すなわちウエスト部分にひもをつける事により、ずれ落ちたりしなくなった。ひもではなく、ぼたんやとめ金でウエスト部分のはしとはしをとめてもよい。又ひざかけの前部分に手を入れるポケットをつける事で、手も温かくなるようにした。【選択図】図１
0003143039.tif 000002
【実用新案登録請求の範囲】
【請求項１】
ひざかけをウエスト部分までもっていき、ウエスト部分に、ひざかけにひもをつけ、ずれ落ちないようにする。ひもでなくてもよい。ぼたんでも、とめがねでも、ゴムでもよい。
【請求項２】
手をおく所には大きなポケットをつけ、ポケットに手をつっこみ、テレビを見る時等、手も寒くならないようにする。
【請求項３】
ぐるっと後ろまでひざかけの布をもっていき、後ろ部分も温かくしてもよい。その場合は布本体も輪状、すなわちドーナツ型になる。その場合は後ろの丈の上から下、ぼたん等でとめてもよい。
【請求項４】
生地はキルトでも毛でも綿入れでも温かい物であれば、何でもよい。
【請求項５】
丈の長さも巾も、椅子にかけた時も、正座した時も温かいように十分にとる。
【考案の詳細な説明】
【技術分野】
【０００１】  本考案は、ひざかけをしても下にずれ落ちたりせず、その上、さらに手も温かくなるようにしたひざかけである。
【背景技術】
【０００２】  従来のひざかけは、体を動かす毎にひざかけがずれ、落ちそうになり、不便であった。ひざかけにポケットがついていないため手が寒かった。
【考案の開示】
【考案が解決しようとする課題】
【０００３】  体を動かしても、ひざかけがずれたり、落ちたりしないようにする。手が寒いので、手を温かくする場所をつくる。
【課題を解決するための手段】
【０００４】  ひざかけの上の部分、すなわちウエストの部分にひも又はとめ金又はゴム又はぼたん等をつけ、ひもやとめ金等でとめ、ひざかけがずれたり、落ちたりしないようにする。手が寒いので、ひざかけの前部分に大きなポケットをつけ、手をつっこめば手も温かくなるようにする。
【考案の効果】
【０００５】  ひざかけをウエストまでもっていき、ウエスト部分にひも等をつける事により、動いてもひざかけがずれ落ちないようになった。それに手を入れるポケットがついているので手も温かくなった。
【考案を実施するための最良の形態】
【０００６】  円形、すなわちドーナツ型につくり、ウエスト部分まで布をあて、後ろ部分の上から下すなわち丈はぼたん等でとめてもよい。ウエストまわりは紐などでとめる。後ろ部分まで温める必要がない場合は、後ろ部分まで布をあてがわなくてよい。その場合は前とよこだけ布をつけ、後ろまで布をつけない。ただしウエストまわりはひも等でしめて、ずれ落ちないようにする。正座した時でも、ゆったりとひざをおおってくれるような形にした。長さは椅子に座った場合、正座した場合、必要に応じて丈の長さは決める。
【実施例】
【０００７】  以下添付図面に従って実施例を説明する。１は綿入れか毛のような又は毛布のような温かい素材を使ったひざかけ本体。２は手をつっこむポケット。３はひざかけがずれ落ちないようにするためにもうけられたひも。このひもで、ウエストまわりをしっかりとしばる。
【図面の簡単な説明】
【０００８】
【図１】  本考案ひざかけの上から見た図である。
【図２】  正座して本考案のひざかけをあてている横から見た側面図である。
【図３】  椅子にかけた時、本考案のひざかけをもちいた図である。
【符号の説明】
【０００９】  １  ひざかけ本体
２  手をつっこむためのポケット
３  ひざかけがずれ落ちないようにもうけられたひも。
【図１】
0003143039.tif 000003
【図２】
0003143039.tif 000004
【図３】
0003143039.tif 000005
【手続補正書】
【提出日】平成20年3月27日(2008.3.27)
【手続補正１】
【補正対象書類名】実用新案登録請求の範囲
【補正対象項目名】全文
【補正方法】変更
【補正の内容】
【実用新案登録請求の範囲】
【請求項１】
ウエスト部分まである形状がドーナツ型のひざかけ。
【請求項２】
後ろ部分が欠けている、すなわち後ろ部分がない請求項１記載のひざかけ。
【請求項３】
ひざかけをあてた時、ひざかけがずれ落ちないようにするため、ウエスト部分にとり付けるためのひも等を備えた請求項１又は請求項２記載のひざかけ。
【請求項４】
手を入れるためのポケットを備えた請求項１又は請求項２記載のひざかけ。
(57)【要約】      （修正有）【課題】防水性に富み、持ち運びに便利な携帯用尿瓶器を収納する袋体を提供する。【解決手段】携帯用尿瓶器を収納するポリエチレン袋体であって、尿瓶器を収納する本体部とちり紙または物を収納できる裏面袋体部からなり、本体部及び裏面袋体部は水漏れ防止加工が施され、本体部の上部は二重の紐締めにより開閉可能である。以上のように、旅行や車で遠出の際に尿意を催したとき携帯用尿瓶器を容易に取り扱いでき、持ち運びが容易である。【選択図】図１
0003143082.tif 000002
【実用新案登録請求の範囲】
【請求項１】
携帯用尿瓶器を収納するポリエチレン袋体であって、尿瓶器を収納する本体部とちり紙または物を収納できる裏面袋体部からなり、前記本体部及び前記裏面袋体部は水漏れ防止加工が施され、前記本体部の上部は二重の紐締めにより開閉可能である携帯用尿瓶器を収納できるポリエチレン袋体。
【考案の詳細な説明】
【技術分野】
【０００１】  本考案は、携帯用尿瓶器を収納するポリエチレン袋体に関する。
【技術背景】
【０００２】  従来の尿瓶収納カバーには、例えば（特開２００１−１０４２１５号）などが開示されているが本案件のように簡単で且つ機能性を有する袋体は見当たらなかった。
【考案が解決しようとする課題】
【０００３】  車での遠出中、旅行中など尿意を催した時、尿瓶を容易に取り扱いできる
携帯用尿瓶器を収納する袋体を提供する。
【問題を解決するための手段】
【０００４】  上記実情に鑑み、本考案に係る携帯用尿瓶器の袋体は携帯用尿瓶器を袋に入れて自由に取り扱いを便利にしたものを提供するものである。
【０００５】  本考案は、尿瓶器全体を覆う大きさである。
【０００６】  また、本考案はポリエチレン素材から構成され、防水性に富み、前記袋体の裏側にちり紙または物を収納できるポケットを設けたことである。
【０００７】  また、本考案は開口部の紐を締める又は緩めることにより、前記開口部の開閉を容易にしてある。
【考案の効果】
【０００８】  以上のように、本考案は旅行や車で遠出の際に尿意を催したとき携帯用尿瓶器を容易に取り扱いでき、持ち運びが容易である。
【産業上の利用可能性】
【０００９】  車での遠出中、旅行中など尿意を催した時、尿瓶を容易に取り扱いできる携帯用尿瓶器を収納する袋体である。
【図面の簡単な説明】
【００１０】
【図１】本考案に係る携帯用尿瓶器を収納した袋体正面図
【図２】袋体の正面図
【図３】袋体の裏面図
【符号の説明】
【００１１】１  尿瓶本体
２  袋体の開口部
３  裏側に設けたポケット
４  袋体開口部を開閉させる紐
【図１】
0003143082.tif 000003
【図２】
0003143082.tif 000004
【図３】
0003143082.tif 000005
(57)【要約】      （修正有）【課題】ラミネートを必要とせずポスターを挟み込めるマグネット式パネルを提供する。【解決手段】パネル９，１０上部には数個の蝶番７，８で固定しＡ４サイズからＡ１サイズまでを利用できるようにした。下部接合部を薄い磁石５，６を取り付けることでパネル前面から工具を使わずにポスターの取替えができるようにした。四角に空洞１，２，３，４を開けることで天井から吊り下げる仕組みにしたことで紐およびワイヤーを通して告知宣伝ビラを挟むようにした。【選択図】図１
0003143084.tif 000002
【実用新案登録請求の範囲】
【請求項１】
高分子樹脂およびアクリル板で成形した２枚の透明パネルに内接する内側部に薄型の磁石と蝶番を取り付けた告知、広告用ポスターを挟めるマグネット式パネル。
【考案の詳細な説明】
【技術分野】
【０００１】本実用新案は、高分子樹脂やアクリル樹脂でパネル成形した２枚の透明パネルに広告用のポスターを挟む。そのために開閉できる蝶番と磁石でポスターを簡易に取替えて挟めるようにしたマグネット式パネル。
【背景技術】
【０００２】銀行やコンビニエンス、百貨店などで顧客に案内する広告ラミネートパネルの方法は既に設けられていることのは公知である。しかし、ラミネートパネルはリサイクルやリユースできない欠点があった。そこでラミネートを必要としないで直接ポスターを挟み込む方法を考案した。取り付け工具を必要とせず、簡便に取り替えができるようにもした。つまり本発明はパネルにはさむ告知用紙、宣伝用ポスターを簡単に取替えることができるように開発した環境に優しい告知、広告用パネルである。
【課題を解決するための手段】
【０００３】従来の照明装置パネルやポスターの取替えは、工具を使用する方法とアルミ枠を開閉してからポスターを取り付けなければならなかった。つまり工具が必要であり、取り外しが困難であることをマグネットで解決した。環境課題としてラミネートの焼却処理による空気汚染、環境問題にも影響する。それをポスターの中身だけを取替えることで、透明パネルは半永久的に使用可能である。パネル上部には数個の蝶番で固定しＡ４サイズからＡ１サイズまでを利用できるようにした。下部接合部を薄い磁石を取り付けることでパネル前面からポスターを取り替えることができるようにした。四角に空洞を開けることで天井から吊り下げる仕組みにしたことで紐およびワイヤーを通して告知宣伝ビラをはさむようにした。
【考案の目的】
【０００４】本新案の目的は、ラミネートを使わずにポスターの取替えを簡便にしたパネルである。
磁石と蝶番そして透明パネル２枚で商品化できることを目的とした発明商品である。
【考案の効果】
【０００５】本方法により銀行、コンビニ、百貨店、駅売店、ショップなどで商品や売場案内のポスターをすばやく取り替えができるように設計した。官庁、企業、ショップの宣伝や広告媒体のグッズとして利用する。イーゼルに掛ける。レジ横に設置。壁掛け。壁面や路面にパネルの一部を埋め込みできる。
【考案を実施するための最良の形態】
【実施例１】
【０００６】図１本体は本実用新案に係る企業宣伝や広告媒体を表示するためのマグネットパネルの実施例を示す。図１は、主に銀行、コンビニ、百貨店、駅売店、ショップなどに設置する告知パネル全体図である。
【実施例２】蝶番ユニットおよび磁石と金属接合部板を図式化した側面を示す。
【実施例３】蝶番を軸に開閉しポスターを簡易に取り替えることができる装置を示す。
【実施例４】四角に空洞を取り付けることで、上部から吊り下げることができるようにした。
【実施例５】ボード本体図３はアクリル系樹脂板、ポリカ樹脂板、ガラス板などからなりポスターを薄型磁石で挟んで表示できる装置。
【実施例６】ボード本体図１の面状板９と１０はアクリル系樹脂板、ポリカ樹脂板、ガラス板などからなり２枚合わせた間に印刷物を挿入できる装置。
【実施例７】面状板９と１０のアクリル系樹脂板、ポリカ樹脂板、ガラス板などからなり、面状側面にはＬＥＤおよび冷陰極管を取り付けることができる照明装置。
【実施例８】照明ボード本体の光源に太陽光発電ユニットによる電源供給ができる照明装置。
【産業上の利用可能性】
【０００７】本発明のにおいて、本体をＬＥＤおよび冷陰極管照明装置として使用することで清潔感に優れた材料である。面状発光部はアクリル樹脂のボードを使用し発光効率を考慮した。この両方を兼ね備えた照明装置は、駅前は基より暗い場所、そして夜間にも良く目立つ照明装置にして、犯罪を未然に防止する効果を最大限発揮する。電球や蛍光灯では、消費電力も嵩張り電球交換などメンテナンスにも手間取るが、ＬＥＤおよび冷陰極管照明装置と組み合わせることで電球と比較して薄型と小型化も解決した。
【図面の簡単な説明】
【０００８】
【図１】正面図照明ボード本体図（マグネットパネル）
【図２】側面図照明ボード本体図（マグネットパネル）
【図３】蝶番開閉時側面図照明ボード本体図（マグネットパネル）
【符号の説明】
【０００９】  １から４  四角の空洞
５と６    薄い磁石と接合部板
７と８    蝶番
９と１０  透明パネル
１１      ポスター
【図１】
0003143084.tif 000003
【図２】
0003143084.tif 000004
【図３】
0003143084.tif 000005